(57)【要約】【課題】通知情報の確認を妨げることなく、ユユーザーの意思によりロック状態を解除する。【解決手段】入力操作を受け付けるキー（２４）、タッチパネル（３６）と、生体認証情報を取得するカメラ（２０）と、制御部（１０）と、を備え、制御部（１０）は、端末装置（１）による入力操作に応じた処理の実行を制限するロック状態を設定し、当該ロック状態において、カメラ（２０）が取得した生体認証情報を用いて生体認証を行い、当該生体認証に成功した後、キー（２４）、タッチパネル（３６）が所定の入力操作を受け付けたときに、ロック状態を解除する。【選択図】図１
2017224251.tif 000002
【特許請求の範囲】
【請求項１】
端末装置であって、
入力操作を受け付ける入力受付部と、
生体認証情報を取得する生体認証情報取得部と、
制御部と、を備え、
上記制御部は、
上記端末装置による上記入力操作に応じた処理の実行を制限するロック状態を設定し、
当該ロック状態において、上記生体認証情報取得部が取得した上記生体認証情報を用いて生体認証を行い、
当該生体認証に成功した後、上記入力受付部が所定の入力操作を受け付けたときに、上記ロック状態を解除することを特徴とする端末装置。
【請求項２】
通知部を備え、
上記制御部は、上記生体認証に成功したとき、上記通知部に、当該生体認証の成功を通知させることを特徴とする請求項１に記載の端末装置。
【請求項３】
上記制御部は、上記生体認証を成功してから所定の時間が経過したときに、当該生体認証の成功を取り消すことを特徴とする請求項１または２に記載の端末装置。
【請求項４】
上記制御部は、上記生体認証情報取得部が取得した上記生体認証情報を用いた生体認証を、当該生体認証が成功するまで繰り返す
ことを特徴とする請求項１〜３の何れか１項に記載の端末装置。
【請求項５】
表示部を備え、
上記制御部は、
上記表示部に表示すべき通知情報が存在するか否かを判定し、
上記通知情報が存在する場合は、上記ロック状態のときに、上記表示部に、上記通知情報に応じたオブジェクトを表示させ、
上記通知情報が存在しない場合は、上記生体認証が成功したときに、上記入力受付部が上記所定の入力操作を受け付けなくとも、上記ロック状態を解除する
ことを特徴とする請求項１〜４の何れか１項に記載の端末装置。
【請求項６】
上記生体認証情報取得部はカメラである
ことを特徴とする請求項１〜５の何れか１項に記載の端末装置。
【請求項７】
上記生体認証情報取得部は指紋センサである
ことを特徴とする請求項１〜５の何れか１項に記載の端末装置。
【請求項８】
上記制御部は、上記生体認証による認証が不可能なときに、代替認証を行う
ことを特徴とする請求項１〜７の何れか１項に記載の端末装置。
【請求項９】
上記代替認証の認証対象は、上記入力受付部が受け付けた上記入力操作である
ことを特徴とする請求項８に記載の端末装置。
【請求項１０】
端末装置の制御部としてコンピュータを機能させるための制御プログラムであって、上記端末装置は、入力操作を受け付ける入力受付部と、生体認証情報を取得する生体認証情報取得部とを備え、上記コンピュータを、
上記端末装置による上記入力操作に応じた処理の実行を制限するロック状態を設定し、当該ロック状態において、上記生体認証情報取得部が取得した上記生体認証情報を用いて生体認証を行い、当該生体認証に成功した後、上記入力受付部が所定の入力操作を受け付けたときに、上記ロック状態を解除する制御部として機能させるための制御プログラム。
【発明の詳細な説明】
【技術分野】
【０００１】
本発明は、端末装置、および制御プログラムに関する。
【背景技術】
【０００２】
携帯電話機、スマートフォン等の端末装置は、ユーザーからの入力操作があった場合にも、入力操作に応じた処理の実行が制限されるロック状態になるものが知られている。  例えば特許文献１には、ロック状態を解除するためのロックオブジェクト、および通知情報に対応する通知オブジェクトを表示部に表示させ、通知オブジェクトの少なくとも一部の表示領域上にロックオブジェクトを移動させてリリースする所定のタッチ操作が行われると、ロック状態を解除すると共に、通知オブジェクトに対応する機能を実行する携帯端末が開示されている。
【０００３】
また、端末装置は、虹彩認証、白眼認証、顔認証、指紋認証等の生体認証の機能を搭載し、生体認証を使用してロック状態を解除するものがある。
【先行技術文献】
【特許文献】
【０００４】
【特許文献１】特開２０１４−０２１９３６号公報（２０１４年２月３日公開）
【発明の概要】
【発明が解決しようとする課題】
【０００５】
上述のような生体認証を使用してロック状態を解除できる従来技術においては、生体認証が成功すると、即時にロック状態が解除される。例えば、ユーザーが、ロック画面に表示されている通知情報を確認している途中で合っても、ロック状態が解除されてロック画面がホーム画面等の別の画面に遷移し、ロック画面で確認可能な通知情報の確認が妨げられる。このように、ユーザーの意思に反して、ロック画面の解除され、通知情報の確認が妨げられる場合があるという問題がある。
【０００６】
本発明は、前記の問題点に鑑みてなされたものであり、その目的は、通知情報の確認を妨げることなく、ユーザーの意思によりロック状態を解除することにある。
【課題を解決するための手段】
【０００７】
上記の課題を解決するために、本発明の一態様に係る端末装置は、入力操作を受け付ける入力受付部と、生体認証情報を取得する生体認証情報取得部と、制御部と、を備え、上記制御部は、上記端末装置による上記入力操作に応じた処理の実行を制限するロック状態を設定し、当該ロック状態において、上記生体認証情報取得部が取得した上記生体認証情報を用いて生体認証を行い、当該生体認証に成功した後、上記入力受付部が所定の入力操作を受け付けたときに、上記ロック状態を解除することを特徴とする。
【発明の効果】
【０００８】
本発明の一態様によれば、通知情報の確認を妨げることなく、ユーザーの意思によりロック状態を解除することができる、という効果を奏する。
【図面の簡単な説明】
【０００９】
【図１】本発明の実施形態１に係る端末装置の機能ブロック図である。
【図２】本発明の実施形態１に係る端末装置における制御のフローチャートである。
【図３】本発明の実施形態１に係る端末装置の表示部の表示例である。
【図４】本発明の実施形態２に係る端末装置における制御のフローチャートである。
【図５】本発明に係る端末装置の表示部の画面遷移例である。
【図６】本発明に係る端末装置の表示部の画面遷移例である。
【図７】本発明に係る端末装置の表示部の画面遷移例である。
【図８】本発明に係る端末装置の表示部の画面遷移例である。
【発明を実施するための形態】
【００１０】
〔実施形態１〕
以下、本発明の実施の形態について、図１、図２に基づいて詳細に説明する。
【００１１】
図１は、本実施形態に係る端末装置１の概要を示す機能ブロック図である。
【００１２】
端末装置１は、携帯電話機、スマートフォン等の携帯可能な端末装置であってよい。
【００１３】
端末装置１は、制御部１０、カメラ２０、方向センサ２２、キー２４、記憶部２６、通信部３０、音声出力部３２、音声入力部３４、タッチパネル３６、およびメモリ４０を備えている。
【００１４】
カメラ２０は、少なくともユーザーを撮像する。カメラ２０は本人認証のための画像の取得に使われるほか、通常のカメラ機能を併せ持っていてもよく、その場合カメラ機能としての撮像時のモードとは別に本人認証用の生体認証用撮像モードを有していてもよい。この場合の生体認証用撮像モードとは、生体認証の精度がより向上するような画像が得られるように、輝度、鮮鋭度等が調整されたモードのことを言う。
【００１５】
方向センサ２２は、端末装置１の向きを検出する。例えば、表示部３７が縦長で観察できる状態で用いられているのか、横長で観察できる状態で用いられているのかを検出する。また、端末装置１がユーザーに振られていることを検出する。
【００１６】
なお、方向センサ２２の検出に応じて、端末装置１による処理を実行してもよい。また、ロック状態は、方向センサ２２の検出に応じた端末装置１による処理の実行を制限してもよい。
【００１７】
キー２４は、ユーザーからの入力操作を受け付ける。
【００１８】
記憶部２６は、プログラム保存領域２７、生体情報保存領域２８、設定情報保存領域２９を含んでいる。
【００１９】
生体情報保存領域２８には、本人認証されるユーザーの照合用の生体情報が記憶されている。本実施形態においては、生体情報として白目の画像を採用する。
【００２０】
設定情報保存領域２９には、生体情報以外の照合用認証情報が記憶されている。
【００２１】
通信部３０は、制御部１０の制御により、外部の装置とデータの送受信等の通信をする。
【００２２】
音声出力部３２は、音声を出力する。
【００２３】
音声入力部３４は、ユーザー等からの音声を入力する。なお、音声入力部３４に入力された音声に応じて、端末装置１による処理を実行してもよい。また、ロック状態は、音声入力部３４に入力された音声に応じた端末装置１による処理の実行を制限してもよい。
【００２４】
タッチパネル３６は、端末装置１の一面に備えられている。タッチパネル３６は、表示部３７とタッチセンサ部３８とを含んでいる。表示部３７は、タッチセンサ部３８と一体に形成され、タッチパネル３６を構成している。
【００２５】
メモリ４０は、プログラム保存領域２７に記憶されているプログラムが展開され、処理結果が一時的に記憶される記憶装置である。
【００２６】
制御部１０は、生体認証部１１、設定部１２、解除部１３、通知制御部１４、取消部１５、および表示制御部１６を含んでいる。
【００２７】
設定部１２は、ユーザーからの入力操作に応じた端末装置１による処理の実行を制限するロック状態を設定する。
【００２８】
生体認証部１１は、ロック状態において、カメラ２０が取得した生体認証情報を用いて生体認証を行う。また生体認証部１１は、カメラ２０が取得した生体認証情報を用いた生体認証を、生体認証が成功するまで繰り返す。
【００２９】
解除部１３は、生体認証に成功した後、キー２４、タッチパネル３６等への所定の入力操作を受け付けたときに、ロック状態を解除する。
【００３０】
通知制御部１４は、生体認証に成功したとき、音声出力部３２、および表示部３７の少なくとも一方に、生体認証が成功したことを通知させる。
【００３１】
取消部１５は、生体認証を成功してから所定の時間が経過したときに、当該生体認証の成功を取り消す。
【００３２】
表示制御部１６は、表示部３７の表示を制御する。例えば表示部３７の表示内容を、ロック状態の画面からロック状態が解除され、全ての操作の基本となる画面（以下、「ホーム画面」と称する。）に遷移させる。
【００３３】
続いて、図２を参照して、本実施形態に係る端末装置１における制御を説明する。図２は、本実施形態に係る端末装置１における制御の一例を説明するフローチャートである。
【００３４】
制御部１０が、ユーザーからの所定の入力操作（キー２４の押下、タッチパネル３６へのタッチ、端末装置１自身の揺り動かし（方向センサ２２による揺り動かしの検知）、音声入力部３４への音声入力等）を受け付けると、端末装置１における制御が開始する。
【００３５】
ステップＳ１０１において、表示制御部１６は、表示部３７にロック状態を示すロック画面を表示させる。また表示制御部１６は、表示すべき所定の情報（以下、「通知情報」と称する。）が存在する場合は、表示部３７に、通知情報に応じた通知オブジェクトを表示させる。
【００３６】
図３は、ロック画面において表示される通知オブジェクトの例を示している。図３に示す例においては、時刻を通知する時刻通知オブジェクト３７ａ、天気予報を通知する天気通知オブジェクト３７ｂ、および未読メールの有無を通知する未読メール通知オブジェクト３７ｃが表示されている。
【００３７】
ステップＳ１０２において、生体認証部１１は、カメラ２０が取得した生体情報を用いて端末装置１を操作するユーザーを認証する生体認証処理を行う。
【００３８】
ステップＳ１０３において、制御部１０は、ステップＳ１０２における生体認証処理が成功したか否かを判定する。ステップＳ１０３において制御部１０が生体認証成功したと判定した場合は、ステップＳ１０４に移行する。ステップＳ１０３において制御部１０が生体認証成功しなかったと判定した場合は、ステップＳ１０９に移行する。
【００３９】
ステップＳ１０４において、制御部１０は、生体認証が成功したことを示す情報をメモリ４０に保存させる。また、通知制御部１４は、音声出力部３２、および表示部３７の少なくとも一方に、生体認証が成功したことを通知させる。
【００４０】
ステップＳ１０５において、制御部１０は、ユーザーからのロック解除の入力操作（キー２４の押下、タッチパネル３６へのタッチ、端末装置１自身の揺り動かし、音声入力部３４への音声入力等）を受け付けたか否かを判定する。ステップＳ１０５において制御部１０が入力操作を受け付けたと判定した場合は、ステップ１０６へ移行する。ステップＳ１０５において制御部１０が入力操作を受け付けなかったと判定した場合は、ステップ１０７へ移行する。
【００４１】
ステップ１０６において、解除部１３は、ロック状態を解除し、表示制御部１６は、表示部３７の表示をロック画面からホーム画面に遷移させる。つまり、ユーザーからの入力操作を受け付けた場合に、表示部３７の表示がロック画面からホーム画面に遷移するので、ユーザーがロック画面に表示されている通知情報を確認している途中に、ロック状態が解除されて、ロック画面で確認可能な通知情報の確認が妨げられることがない。
【００４２】
ステップＳ１０７において、制御部１０は、表示部３７に表示されている通知オブジェクトへのユーザーからの入力操作の有無を判定する。ステップＳ１０７において制御部１０が入力操作有と判定した場合は、ステップＳ１０８へ移行する。ステップＳ１０７において制御部１０が入力操作無と判定した場合は、制御部１０は、ロック状態を維持して、ステップＳ１０５へ戻り、上述と同様の処理を行う。
【００４３】
ステップＳ１０８において、解除部１３は、ロック状態を解除し、表示制御部１６は、表示部３７の表示をロック画面から通知情報の詳細を表示する画面に遷移させる。例えば、図３に示される天気通知オブジェクト３７ｂへの入力操作があった場合には、時間ごとの気温予報、天気予報を表示する画面に遷移させればよい。また、未読メール通知オブジェクト３７ｃへの入力操作があった場合には、メール閲覧アプリを表示する画面に遷移させればよい。
【００４４】
ステップＳ１０９において、制御部１０は、生体認証部１１が生体認証を継続することが可能か否かを判定する。生体認証を継続することが不可能な場合とは、カメラ２０が動作していない場合、ステップＳ１０２の生体認証処理が所定の回数以上成功しなかった場合等である。ステップＳ１０９において制御部１０が生体認証継続可能と判定した場合は、ステップＳ１０２へ戻り、生体認証部１１は、上述と同様の処理を行う。ステップＳ１０９において制御部１０が生体認証継続不可能と判定した場合は、ステップＳ１１０へ移行する。
【００４５】
ステップＳ１１０において、表示制御部１６は、表示部３７に、ユーザーに認証情報を入力させるための代替認証オブジェクトを表示させる。代替認証オブジェクトとして、例えば、２次元に等間隔に配置された９個のドットを表示してもよい。この場合、端末装置１の使用開始時に、ユーザーに初期処理として複数のドットを順にタッチさせ、制御部１０は、設定情報保存領域２９に、ユーザーのタッチ順のパターンを照合用認証情報として記憶させるとよい。認証時には、ユーザーの、各ドットへのタッチの順を、記憶されたパターンとマッチングして、本人認証をすればよい。
【００４６】
ステップＳ１１１において、制御部１０は、代替認証オブジェクトに対するユーザーからの入力操作により認証処理が成功したか否かを判定する。ステップＳ１１１において制御部１０が認証成功したと判定した場合は、ステップＳ１１２に移行する。ステップＳ１１１において制御部１０が認証成功しなかったと判定した場合は、ステップＳ１１０へ戻り、表示制御部１６は、代替認証オブジェクトの表示を維持する。
【００４７】
ステップＳ１１２において、解除部１３は、ロック状態を解除し、表示制御部１６は、表示部３７の表示をロック画面からホーム画面に遷移させる。
【００４８】
なお、上記フローチャートのステップには現れないが、取消部１５は、生体認証が成功してから（ステップＳ２０３が肯定されてから）所定の時間が経過したときに、当該生体認証の成功を取り消す。これにより、本人認証されたユーザー以外の人物がロック状態を解除することを防ぐことができる。
【００４９】
〔実施形態２〕
本発明の他の実施形態について、図４に基づいて説明すれば、以下のとおりである。図４は、本実施形態に係る端末装置における制御の一例を説明するフローチャートである。なお、本実施例に係る端末装置は、前記実施形態にて説明した部材と同じ機能を有する部材を備えているので、部材については、その説明を省略する。
【００５０】
本実施形態に係る端末装置における制御は、ステップＳ２０７，Ｓ２０９を含む点で、前記実施形態の制御と異なる。
【００５１】
ステップＳ２０１〜Ｓ２０６においては、図２のステップＳ１０１〜Ｓ１０６と同様の処理が行われる。また、ステップＳ２０８，Ｓ２１０においては、図２のステップＳ１０７，Ｓ１０８と同様の処理が行われる。また、ステップＳ２１１〜Ｓ２１４においては、図２のステップＳ１０９〜Ｓ１１２と同様の処理が行われる。
【００５２】
ステップＳ２０７において、制御部１０は、通知情報の有無を判定する。例えば、図３に示す例においては、時刻通知オブジェクト３７ａ、天気通知オブジェクト３７ｂ、および未読メール通知オブジェクト３７ｃの少なくとも１つが表示されているか否かを判定する。ステップＳ２０７において制御部が通知情報有と判定した場合は、ステップＳ２０８に移行する。一方、ステップＳ２０７において制御部が通知情報無と判定した場合は、ステップＳ２０９に移行する。
【００５３】
ステップＳ２０９において、解除部１３は、ロック状態を解除し、表示制御部１６は、表示部３７の表示をロック画面からホーム画面に遷移させる。
【００５４】
つまり、本実施形態における解除部１３は、通知情報が存在せず、表示部３７に表示すべき通知オブジェクトが存在しない場合は、生体認証部１１が生体認証を成功したときに、キー２４、タッチパネル３６等が所定の入力操作を受け付けなくとも、ロック状態を解除する。
【００５５】
本実施形態に係る端末装置１における制御によれば、通知オブジェクトが存在しない場合には、迅速にロック状態を解除することができ、かつ、ユーザーの意思によりロック状態を解除しないが、ロック画面で確認可能な通知情報の確認が妨げられるという問題は生じない。
【００５６】
なお、表示部３７における画面遷移は、上記の例に限らない。図５〜７を参照して、端末装置１の表示部３７における画面遷移のさらなる例を説明する。
【００５７】
図５の（ａ）〜（ｆ）は、表示部３７に表示されるロック画面の初期画面において、カメラ２０に撮像されたユーザーの目の画像をプレビューしない場合の画面遷移の例を示している。
【００５８】
図５の（ａ）は、生体認証部１１によるユーザーの白目の認証が未完了の状況で、鍵ボタン３８ａをタッチする等のユーザーによる所定の入力操作を受け付けなかった場合の表示部３７の表示例である。この場合において、生体認証部１１による認証が完了した後に、所定の入力操作を受け付けると、表示制御部１６は、表示部３７の表示をホーム画面に遷移させる。
【００５９】
図５の（ｂ），（ｃ）は、生体認証部１１による生体認証が未完了の場合であり、所定の入力操作を受け付けたときの表示例である。表示部３７の下半分に代替認証オブジェクトが表示される。図５の（ｂ）は、所定の入力操作を受け付けたときに、ユーザーの目の画像を表示部３７の上側にプレビューする場合の表示例である。また、図５の（ｃ）は、所定の入力操作を受け付けたときにも、ユーザーの目の画像をプレビューしない状態を継続する場合の表示例である。
【００６０】
図５の（ｄ）〜（ｆ）は、生体認証部１１による生体認証が継続不可能と判定された場合（ステップＳ１１０に移行した場合）の表示部３７の表示例である。
【００６１】
図５の（ｄ）は、生体認証部１１による生体認証が継続不可能と判定される前に、所定の入力操作を受け付けていたときの表示例である。また、図５の（ｅ）は、生体認証部１１による生体認証が継続不可能と判定される前に、所定の入力操作を受け付けていなかったときの表示例である。また、図５の（ｆ）は、生体認証部１１による生体認証が継続不可能と判定された場合にも、所定の入力操作を受け付けなければ、代替認証オブジェクトを表示しない場合の表示例である。図５の（ｆ）に図示される場合においては、例えば、鍵ボタン３８ｆをタッチすることにより、図５の（ｅ）に図示される画面に遷移してもよい。
【００６２】
図５の（ｂ）〜（ｅ）に表示される代替認証オブジェクトに対してユーザーからの入力操作があり、認証処理が成功すると、表示制御部１６は、表示部３７の表示をホーム画面に遷移させる。
【００６３】
図６の（ａ），（ｂ）は、表示部３７に表示されるロック画面の初期画面において、カメラ２０に撮像されたユーザーの目の画像をプレビューせず、かつ、生体認証継続不可能との判定、又は所定の入力操作の受け付けを待たずに代替認証オブジェクトを表示する場合の画面遷移の例を示している。
【００６４】
図６の（ａ）は、生体認証部１１によるユーザーの白目の認証が完了していない場合の表示部３７の表示例である。この場合において、代替認証オブジェクトに対してユーザーからの入力操作があり、認証処理が成功すると、表示制御部１６は、表示部３７の表示をホーム画面に遷移させる。
【００６５】
図６の（ｂ）は、生体認証部１１によるユーザーの白目の認証が完了した場合の表示部３７の表示例である。この場合において、鍵ボタン３８ｂへのタッチ等のユーザーによる所定の入力操作を受け付けると、表示制御部１６は、表示部３７の表示をホーム画面に遷移させる。
【００６６】
図７の（ａ）〜（ｄ）は、表示部３７に表示されるロック画面の初期画面において、カメラ２０に撮像されたユーザーの目の画像をプレビューする場合の画面遷移の例を示している。
【００６７】
図７の（ａ）は、生体認証部１１によるユーザーの白目の認証が未完了の状況で、鍵ボタン３８ａをタッチする等のユーザーによる所定の入力操作を受け付けていない場合の表示部３７の表示例である。
【００６８】
図７の（ｂ）は、生体認証部１１による生体認証が未完了、かつ、生体認証部１１による生体認証が継続可能と判定されている場合であり、所定の入力操作を受け付けたときの表示例である。表示部３７の下半分に代替認証オブジェクトが表示される。また、図７の（ｂ）に示される「顔をもっと近付けてください」等のメッセージの表示をする等して、生体認証がより成功しやすくなるように、ユーザーを誘導する通知をしてもよい。
【００６９】
図７の（ｃ）は、生体認証部１１による生体認証が継続不可能と判定された場合（ステップＳ１１０に移行した場合）の表示部３７の表示例である。
【００７０】
図７の（ｂ），（ｃ）に表示される代替認証オブジェクトに対してユーザーからの入力操作があり、認証処理が成功すると、表示制御部１６は、表示部３７の表示をホーム画面に遷移させる。
【００７１】
図７の（ｄ）は、生体認証部１１による生体認証が成功した後の表示部３７の表示例である。生体認証成功後は、ユーザーの目のプレビューを終え、プレビューされていた部分３７ｄの表示を時刻の背景部と同様の表示に遷移させる。鍵ボタン３８ｂへのタッチ等のユーザーによる所定の入力操作を受け付けると、表示制御部１６は、表示部３７の表示をホーム画面に遷移させる。
【００７２】
図８の（ａ），（ｂ）は、表示部３７に表示されるロック画面の初期画面において、カメラ２０に撮像されたユーザーの目の画像をプレビューし、かつ、生体認証継続不可能との判定、又は所定の入力操作の受け付けを待たずに代替認証オブジェクトを表示する場合の画面遷移の例を示している。
【００７３】
図８の（ａ）は、生体認証部１１によるユーザーの白目の認証が完了していない場合の表示部３７の表示例である。この場合において、代替認証オブジェクトに対してユーザーからの入力操作があり、認証処理が成功すると、表示制御部１６は、表示部３７の表示をホーム画面に遷移させる。
【００７４】
図８の（ｂ）は、生体認証部１１によるユーザーの白目の認証が完了した場合の表示部３７の表示例である。この場合において、鍵ボタン３８ｂへのタッチ等のユーザーによる所定の入力操作を受け付けると、表示制御部１６は、表示部３７の表示をホーム画面に遷移させる。
【００７５】
なお、上記実施形態では、代替認証オブジェクトとして、表示部３７上に配置された複数個のドットを例に挙げたが、これに限らず、例えば、表示部３７上に表示された数字、文字であってもよい。代替認証オブジェクトが数字、文字であっても、設定情報保存領域２９に、ユーザーのタッチ順のパターンを記憶させ、ユーザーにタッチされた数字、文字の順と、記憶されたパターンとをマッチングすることにより本人認証をすることができる。
【００７６】
また、上記実施形態では、ユーザーの白目をカメラ２０で撮像し、白目認証により本人認証をしているが、生体認証の種類はこれにかぎらず、虹彩認証、顔認証、指紋認証等の他の生体認証であってもよい。指紋認証により認証をする場合は、端末装置は生体認証情報を取得する構成として指紋センサを備えるとよい。
【００７７】
〔ソフトウェアによる実現例〕
端末装置１の制御ブロック（特に生体認証部１１、設定部１２、および解除部１３）は、集積回路（ＩＣチップ）等に形成された論理回路（ハードウェア）によって実現してもよいし、ＣＰＵ（Central Processing Unit）を用いてソフトウェアによって実現してもよい。
【００７８】
後者の場合、端末装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７９】
〔まとめ〕
本発明の態様１に係る端末装置１は、入力操作を受け付ける入力受付部（キー２４、タッチパネル３６）と、生体認証情報を取得する生体認証情報取得部（カメラ２０）と、制御部１０と、を備え、上記制御部１０は、上記端末装置１による上記入力操作に応じた処理の実行を制限するロック状態を設定し、当該ロック状態において、上記生体認証情報取得部（カメラ２０）が取得した上記生体認証情報を用いて生体認証を行い、当該生体認証に成功した後、上記入力受付部（キー２４、タッチパネル３６）が所定の入力操作を受け付けたときに、上記ロック状態を解除する。
【００８０】
上記の構成によれば、ユーザーの意思によりロック状態を解除することができる。
【００８１】
本発明の態様２に係る端末装置１は、上記態様１において、通知部（音声出力部３２、表示部３７）を備え、上記制御部１０は、上記生体認証に成功したとき、上記通知部（音声出力部３２、表示部３７）に、当該認証の成功を通知させてもよい。
【００８２】
上記の構成によれば、ユーザーに対し、ロック状態の解除を促すことができる。
【００８３】
本発明の態様３に係る端末装置１は、上記態様１または２において、上記制御部１０は、上記生体認証を成功してから所定の時間が経過したときに、当該認証の成功を取り消してもよい。
【００８４】
上記の構成によれば、本人認証されたユーザー以外の人物がロック状態を解除することを防ぐことができる。
【００８５】
本発明の態様４に係る端末装置１は、上記態様１〜３の何れか１態様において、上記制御部１０は、上記生体認証情報取得部（カメラ２０）が取得した上記認証情報を用いた認証を、当該認証が成功するまで繰り返してもよい。
【００８６】
上記の構成によれば、所定のユーザーがロック状態を解除できない状況を回避することができる。
【００８７】
本発明の態様５に係る端末装置１は、上記態様１〜４の何れか１態様において、表示部３７を備え、上記制御部１０は、所定の情報が存在する場合は、上記ロック状態のときに、上記表示部３７に、上記所定の情報に応じたオブジェクトを表示させ、上記所定の情報が存在しない場合は、上記生体認証が成功したときに、上記入力受付部（キー２４、タッチパネル３６）が上記所定の入力操作を受け付けなくとも、上記ロック状態を解除してもよい。
【００８８】
上記の構成によれば、通知オブジェクトが存在しない場合には、迅速にロック状態を解除することができ、かつ、ユーザーの意思によりロック状態を解除しないが、ロック画面で確認可能な通知情報の確認が妨げられるという問題は生じない。
【００８９】
本発明の態様６に係る端末装置１は、上記態様１〜５の何れか１態様において、上記生体認証情報取得部はカメラ２０であってもよい。
【００９０】
本発明の態様７に係る端末装置１は、上記態様１〜５の何れか１態様において、上記生体認証情報取得部は指紋センサであってもよい。
【００９１】
本発明の態様８に係る端末装置１は、上記態様１〜７の何れか１態様において、上記制御部１０は、上記生体認証による認証が不可能なときに、代替認証を行ってもよい。
【００９２】
上記構成によれば、生体認証による認証が不可能であっても、本人認証することができる。
【００９３】
本発明の態様９に係る端末装置１は、上記態様８において、上記代替認証の認証対象は、上記入力受付部が受け付けた上記入力操作であってもよい。
【００９４】
本発明の各態様に係る端末装置は、コンピュータによって実現してもよく、この場合には、コンピュータを上記端末装置が備える各部（ソフトウェア要素）として動作させることにより上記端末装置をコンピュータにて実現させる端末装置の制御プログラム、およびそれを記録したコンピュータ読み取り可能な記録媒体も、本発明の範疇に入る。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９６】
１  端末装置
１０  制御部
１１  生体認証部（制御部）
１２  設定部（制御部）
１３  解除部（制御部）
１４  通知制御部（制御部）
１５  取消部（制御部）
１６  表示制御部（制御部）
２０  カメラ（生体認証情報取得部）
２４  キー（入力受付部）
３２  音声出力部（通知部）
３６  タッチパネル（入力受付部）
３７  表示部（通知部）
【図１】
2017224251.tif 000003
【図２】
2017224251.tif 000004
【図３】
2017224251.tif 000005
【図４】
2017224251.tif 000006
【図５】
2017224251.tif 000007
【図６】
2017224251.tif 000008
【図７】
2017224251.tif 000009
【図８】
2017224251.tif 000010